(57)【要約】【課題】撮像時に被写体像の表示画面上で直感的に最適なアスペクト比を設定する。【解決手段】結像光学系により結像された被写体の画像を撮像する撮像部と、画像を表示する表示部と、表示部の表示画面２１ａ上に設けられたタッチ操作部材２２ａ、２２ｂと、タッチ操作部材２２ａ、２２ｂ上における接触位置を接触した状態で移動させる移動操作を判定する判定部と、判定部により判定された移動操作に基づいて、画像を表示する領域を伸縮させる伸縮部と、伸縮部により伸縮された領域のアスペクト比を設定する設定部と、設定部により設定されたアスペクト比で、撮像部により撮像された画像を記録する記録部とを備える。【選択図】図２
2011004220.tif 000002
【特許請求の範囲】
【請求項１】
結像光学系により結像された被写体の画像を撮像する撮像部と、
画像を表示する表示部と、
前記表示部の表示画面上に設けられたタッチ操作部材と、
前記タッチ操作部材上における接触位置を接触した状態で移動させる移動操作を判定する判定部と、
前記判定部により判定された前記移動操作に基づいて、前記画像を表示する領域を伸縮させる伸縮部と、
前記伸縮部により伸縮された前記領域に基づいて、アスペクト比を設定する設定部と、
前記設定部により設定されたアスペクト比で、前記撮像部により撮像された画像を記録する記録部とを備えることを特徴とするデジタルカメラ。
【請求項２】
請求項１に記載のデジタルカメラにおいて、
前記表示部は、前記判定部により判定された前記移動操作に基づいて、非画像領域を示す矩形を前記表示画面上に表示することを特徴とするデジタルカメラ。
【請求項３】
請求項１に記載のデジタルカメラにおいて、
前記表示部は、前記判定部により判定された前記移動操作に基づいて、非画像領域を前記表示画面上で非表示にすることを特徴とするデジタルカメラ。
【請求項４】
請求項１〜３のいずれか１項に記載のデジタルカメラにおいて、
前記設定部は、設定可能なアスペクト比として複数のアスペクト比を予め記憶しており、前記伸縮部により伸縮された前記領域に基づいて、前記設定可能な複数のアスペクト比の中から所定のアスペクト比を選択し、前記所定のアスペクト比を設定することを特徴とするデジタルカメラ。
【請求項５】
請求項１に記載のデジタルカメラにおいて、
前記判定部は、第１の接触位置を接触した状態で移動させる第１の移動操作および第１の接触位置とは異なる第２の接触位置を接触した状態で移動させる第２の移動操作を判定可能であり、
前記伸縮部は、前記判定部により判定された前記第１の移動操作および前記第２の移動操作に基づいて、前記画像を表示する領域を伸縮させることを特徴とするデジタルカメラ。
【請求項６】
請求項１に記載のデジタルカメラにおいて、
前記判定部は、第１の接触位置を接触した状態で移動させる第１の移動操作および第１の接触位置とは異なる第２の接触位置を接触した状態で移動させる第２の移動操作を判定し、
前記設定部は、前記移動量の多い方の移動操作に基づいて、前記画像領域のアスペクト比を設定することを特徴とするデジタルカメラ。
【発明の詳細な説明】
【技術分野】
【０００１】
本発明はデジタルカメラに関する。
【背景技術】
【０００２】
撮影した画像を任意のアスペクト比（画像の横の長さと縦の長さの寸法比）でトリミングするようにした画像処理装置が知られている（例えば、特許文献１参照）。
【先行技術文献】
【特許文献】
【０００３】
【特許文献１】特開２００５−３３９２１８号公報
【発明の概要】
【発明が解決しようとする課題】
【０００４】
上述した従来の装置は、撮影済みの画像の中から任意のアスペクト比の画像を切り出すことは可能であるが、例えば撮影範囲の狭い画像からより広い範囲のワイドな画像を切り出すことはできない。
【課題を解決するための手段】
【０００５】
(１)  請求項１の発明は、結像光学系により結像された被写体の画像を撮像する撮像部と、画像を表示する表示部と、表示部の表示画面上に設けられたタッチ操作部材と、タッチ操作部材上における接触位置を接触した状態で移動させる移動操作を判定する判定部と、判定部により判定された移動操作に基づいて、画像を表示する領域を伸縮させる伸縮部と、伸縮部により伸縮された領域のアスペクト比を設定する設定部と、設定部により設定されたアスペクト比で、撮像部により撮像された画像を記録する記録部とを備えるデジタルカメラである。
(２)  請求項２の発明は、請求項１に記載のデジタルカメラにおいて、表示部は、判定部により判定された移動操作に基づいて、非画像領域を示す矩形を表示画面上に表示するようにしたものである。
(３)  請求項３の発明は、請求項１に記載のデジタルカメラにおいて、表示部は、判定部により判定された移動操作に基づいて、非画像領域を表示画面上で非表示にするようにしたものである。
(４)  請求項４の発明は、請求項１〜３のいずれか１項に記載のデジタルカメラにおいて、設定部は、設定可能なアスペクト比として複数のアスペクト比を予め記憶しており、伸縮部により伸縮された領域に基づいて、設定可能な複数のアスペクト比の中から所定のアスペクト比を選択し、所定のアスペクト比を設定するようにしたものである。
(５)  請求項５の発明は、請求項１に記載のデジタルカメラにおいて、判定部は、第１の接触位置を接触した状態で移動させる第１の移動操作および第１の接触位置とは異なる第２の接触位置を接触した状態で移動させる第２の移動操作を判定可能であり、伸縮部は、判定部により判定された第１の移動操作および第２の移動操作に基づいて、前記画像を表示する領域を伸縮させるようにしたものである。
(６)  請求項６の発明は、請求項１に記載のデジタルカメラにおいて、判定部は、第１の接触位置を接触した状態で移動させる第１の移動操作および第１の接触位置とは異なる第２の接触位置を接触した状態で移動させる第２の移動操作を判定し、設定部は、移動量の多い方の移動操作に基づいて、画像領域のアスペクト比を設定するようにしたものである。
【発明の効果】
【０００６】
本発明によれば、撮像時に被写体像を表示したモニター画面上において直感的に最適なアスペクト比を設定して撮像することができる。
【図面の簡単な説明】
【０００７】
【図１】一実施の形態の構成を示す図
【図２】撮像時にモニター画面上において画像のアスペクト比を設定する手順を示す図
【図３】一実施の形態の撮影制御プログラムを示すフローチャート
【発明を実施するための形態】
【０００８】
図１は一実施の形態のデジタルカメラ１０の構成を示すブロック図である。撮像素子１１はＣＣＤやＣＭＯＳ型のイメージセンサーであり、撮影レンズＬにより撮像面に結像された被写体像を撮像して画像信号を出力する。ドライバー１４は撮像素子１１の電荷蓄積や画像信号の読み出しを制御する。ＡＦＥ回路１２は、撮像素子１１から出力されるアナログ画像信号に対してクランプ処理、ＣＤＳ処理（相関二重サンプリング）、ＡＧＣ処理（自動利得調整）、シェージング処理などを施す回路である。
【０００９】
Ａ／Ｄ変換回路１３は、ＡＦＥ回路１２による処理後のアナログ画像信号をデジタル画像信号に変換する。ＡＳＩＣ１６は、デジタル画像信号に対して画像に関する処理、すなわちホワイトバランス処理、ガンマ補正、色補間、輪郭強調、ビネット補正などを行う回路である。タイミングジェネレーター１５は、撮像素子ドライバー１４、ＡＦＥ回路１２、Ａ／Ｄ変換回路１３およびＡＳＩＣ１６に対して電荷蓄積、画像信号の読み出し、Ａ／Ｄ変換、画像処理などの各種処理のタイミングを制御する。
【００１０】
画像圧縮回路１７はＪＰＥＧ方式による画像の圧縮と圧縮画像の伸張を行う。バッファメモリ１９は画像を一時記憶する記憶素子である。表示画像作成回路２０は、撮影モードにおいて撮像素子１１により撮像した画像からスルー画像を生成してモニター２１に表示するとともに、再生モードでは記録媒体３０に記録されている画像をモニター２１に再生する。表示画像作成回路２０はまた、操作ボタンをモニター２１に表示させることが可能であり、操作ボタンの表示位置を設定操作にしたがって変更する。表示画像作成回路２０はまた、モニター２１に表示中のスルー画像のアスペクト比（表示される画像の横の長さと縦の長さの寸法比）をタッチ操作部材２２による設定操作にしたがって変更し、必要に応じて画像の左右に黒帯を表示する。画像のアスペクト比の設定操作と表示処理については詳細を後述する。
【００１１】
モニター２１はカラーＬＣＤであり、スルー画像や再生画像を表示するとともに、各種メニューや撮影に関する各種情報を表示する。タッチ操作部材２２は、使用者がモニター２１の表示画面上に指をタッチして操作するタッチパネルスイッチであり、タッチ操作部材２２は、使用者によってタッチ操作された場合にタッチ操作部材２２のタッチ位置を示す信号を発生し、メインＣＰＵ１８へ送出する。使用者はタッチ操作部材２２を操作することにより、表示画面に表示されている各種の機能を操作することができる。操作部材２３は、シャッターボタンの半押しスイッチおよび全押しスイッチ、撮影モードセレクター、コマンドダイヤルなどのカメラ１０を操作するためのスイッチ類である。レンズ駆動装置２４は、撮影レンズＬのフォーカシングレンズ、ズーミングレンズ、絞り(不図示)などを駆動するアクチュエーターである。ＲＡＭ２５は、メインＣＰＵ１８が実行する各種プログラムを記憶している不揮発性の記録媒体である。また、ＲＡＭ２５は、後述の所定のアスペクト比を示すデータを記憶している。記録媒体３０は画像を記録するための記録素子であり、カメラ１０に着脱可能なＳＤカードやＣＦカードなどの各種メモリカードを用いることができる。
【００１２】
メインＣＰＵ１８は、カメラ１０の動作すなわち撮像、画像表示、画像記録、各種演算などを制御するコンピューターである。メインＣＰＵ１８は、後述する撮影制御プログラムを実行して使用者がタッチ操作部材２２により設定したアスペクト比で撮像を実行する。また、メインＣＰＵ１８は、タッチ操作部材２２から送出されたタッチ位置を示す信号を受け、所定の時間内にタッチ位置が連続的に変化することを判定した場合には、使用者はタッチ操作部材２２における接触位置を接触したまま移動操作（ドラッグ操作）したものと判定する。また、メインＣＰＵ１８は、ドラッグ操作の方向と量を演算する。
【００１３】
図２は、モニター２１の表示画面２１ａ上において画像のアスペクト比を設定する手順を示す図である。この一実施の形態では、３種類のアスペクト比１６：９、４：３、１：１を例に挙げて説明する。なお、画像のアスペクト比はこの一実施の形態のアスペクト比に限定されず、例えば３：２や５：４などのアスペクト比を加えてもよい。
【００１４】
図２(ａ)は、１６：９のアスペクト比を設定した状態のモニター表示画面２１ａを示す。この一実施の形態では、モニター２１の表示画面２１ａはアスペクト比１６：９の画像を全画面表示可能なサイズとしており、カメラ１０の電源が投入されて撮影モードが設定された撮影初期状態では１６：９のアスペクト比に設定されている。表示画面２１ａの左辺中央にはタッチ操作部材２２のアスペクト比変更ボタン２２ａが、また表示画面２１ａの右辺中央にはタッチ操作部材２２のアスペクト比変更ボタン２２ｂがそれぞれ配置され、表示されている。これらのアスペクト比変更ボタン２２ａ、２２ｂは、画像表示切り換え操作部材(不図示)により表示と非表示とを切り換えることができる。
【００１５】
撮影モードにおいて、使用者がモニター表示画面２１ａのアスペクト比変更ボタン２２ａ、２２ｂをタッチしながら表示画面２１ａの中央に向かってドラッグすると、表示画面２１ａの左右辺から黒帯２１ｂ、２１ｃが現れ、ドラッグ量に応じて黒帯２１ｂ、２１ｃの幅が広くなる。表示画面２１ａにスルー画像が表示されているときは、黒帯２１ｂ、２１ｃによってスルー画像の左右端部が打ち消され見えなくなる。つまり、画像の表示領域は、カメラ１０を正位置に構えた場合は、表示画面２１ａの上下辺（上下枠）と黒帯２１ｂ、２１ｃとによって囲まれる範囲に設定される。また、記録画像の範囲は、表示画面２１ａの上下辺（上下枠）と黒帯２１ｂ、２１ｃとによって囲まれる範囲に設定される。
【００１６】
使用者がアスペクト比変更ボタン２２ａ、２２ｂを画面中央に向かってドラッグし、表示領域のアスペクト比が４：３もしくはその値近傍でアスペクト比変更ボタン２２ａ、２２ｂから指を離すと、黒帯２１ｂ、２１ｃは図２(ｂ)に示すように表示画面２１ａの表示領域のアスペクト比が４：３となる幅に自動的に設定される。この位置から使用者がアスペクト比変更ボタン２２ａ、２２ｂを画面中央に向かってさらにドラッグすると、黒帯２１ｂ、２１ｃの幅がさらに広くなり、表示領域のアスペクト比が１：１となる位置もしくはその近傍で使用者がアスペクト比変更ボタン２２ａ、２２ｂから指を離すと、黒帯２１ｂ、２１ｃは図２(ｃ)に示すように表示領域のアスペクト比が１：１となる幅に自動的に設定される。したがって、画面中央に向かったドラッグ操作によって表示領域の横幅を縮めることができる。上述のように設定された表示領域のアスペクト比と同じアスペクト比が記録用画像のアスペクト比として設定される。なお、表示領域はモニター２１の中央となるように（黒帯２１ｂ、２１ｃの幅が同じ値となるように）調整して設定することが好ましい。
【００１７】
次に、図２(ｄ)に示す表示領域のアスペクト比が１：１の状態から、使用者がアスペクト比変更ボタン２２ａ、２２ｂを画面の外側に向かってドラッグすると、黒帯２１ｂ、２１ｃの幅が狭くなり、表示領域のアスペクト比が４：３となる位置もしくはその近傍で使用者がアスペクト比変更ボタン２２ａ、２２ｂから指を離すと、黒帯２１ｂ、２１ｃは図２(ｅ)に示すように表示領域のアスペクト比が４：３となる幅に自動的に設定される。この位置から使用者がアスペクト比変更ボタン２２ａ、２２ｂを画面外側に向かってさらにドラッグすると、黒帯２１ｂ、２１ｃの幅がさらに狭くなり、表示領域のアスペクト比が１６：９となる位置もしくはその近傍で使用者がアスペクト比変更ボタン２２ａ、２２ｂから指を離すと、図２(ｆ)に示すように黒帯２１ｂ、２１ｃが消え、表示画面２１ａのアスペクト比が１６：９となる。したがって、画面外側に向かったドラッグ操作によって表示領域の横幅を伸ばすことができる。上述のように設定された表示領域のアスペクト比と同じアスペクト比が記録用画像のアスペクト比として設定される。なお、表示領域はモニター２１の中央となるように（黒帯２１ｂ、２１ｃの幅が同じ値となるように）調整して設定することが好ましい。 
【００１８】
なお、使用者がアスペクト比１６：９と４：３の間、もしくはアスペクト比４：３と１：１の間でアスペクト比変更ボタン２２ａ、２２ｂから指を離した場合には、現在の表示領域のアスペクト比に近い方のアスペクト比となるように自動的にアシストされる。
【００１９】
図３は一実施の形態の撮影制御プログラムを示すフローチャートである。メインＣＰＵ１８は、カメラ１０に電源が投入されて操作部材２３により撮影モードが選択されると、この撮影制御プログラムの実行を開始する。ステップ１において、メインＣＰＵ１８は、撮像素子１１により繰り返し撮像された画像によるスルー画像を、モニター２１に表示させるように表示画像作成回路２０を制御するとともに、メインＣＰＵ１８は、アスペクト比変更ボタン２２ａ、２２ｂをモニター２１の所定の位置に表示させるように表示画像作成回路２０を制御する。
【００２０】
ステップ２では、メインＣＰＵ１８は、使用者がモニター表示画面２１ａのアスペクト比変更ボタン２２ａ、２２ｂにタッチしたか否かを判別し、タッチ操作があればステップ３へ進み、タッチ操作がなければステップ７へ進む。使用者によるアスペクト比変更ボタン２２ａ、２２ｂへのタッチ操作があった場合には、ステップ３において、メインＣＰＵ１８は、使用者による所定時間内のアスペクト比変更ボタン２２ａ、２２ｂのそれぞれのボタンのドラッグ方向とドラッグ量を演算し、アスペクト比変更ボタン２２ａ、２２ｂのドラッグ方向とドラッグ量に応じてモニター表示画面２１ａに黒帯２１ｂ、２１ｃを表示するとともに、アスペクト比変更ボタン２２ａ、２２ｂのそれぞれの表示位置を変更して表示させるように表示画像作成回路２０を制御する。
【００２１】
ステップ４で、メインＣＰＵ１８は使用者がアスペクト比変更ボタン２２ａ、２２ｂから指を離したか否かを判別し、使用者がタッチ操作を終了したらステップ５へ進み、終了していなければステップ３へ戻る。使用者がアスペクト比変更ボタン２２ａ、２２ｂから指を離してタッチ操作を終了したときは、ステップ５でメインＣＰＵ１８は、現在の表示領域のアスペクト比が予めＲＡＭ２５に記憶された３種類のアスペクト比１６：９、４：３、１：１の内のいずれのアスペクト比に最も近いかを判定する。また、メインＣＰＵ１８は、現在の表示領域のアスペクト比を上述の最も近いアスペクト比となるように黒帯２１ｂ、２１ｃの幅を調節し、調節した黒帯２１ｂ、２１ｃを表示画面２１ａに表示させるように表示画像作成回路２０を制御する。なお、黒帯２１ｂ、２１ｃが同一の幅となるように調節される。続くステップ６でメインＣＰＵ１８はそのアスペクト比を設定する。アスペクト比の設定は、メインＣＰＵ１８が、表示領域のアスペクト比と同じアスペクト比を示す値をバッファメモリ１９に一時記憶させることで実行される。なお、操作部材２３による使用者のアスペクト比設定操作が行われたことを確認してからアスペクト比を設定するようにしてもよい。
【００２２】
ステップ７でメインＣＰＵ１８は使用者による操作部材２３のシャッターボタンの半押し操作をの有無を判定し、シャッターボタンの半押し操作があればステップ８へ進み、半押し操作がなければステップ９へ進む。シャッターボタンの半押し操作があった場合は、ステップ８でメインＣＰＵ１８はレンズ駆動装置２４を介して撮影レンズＬの焦点調節を制御する。ステップ９において、メインＣＰＵ１８は使用者による操作部材２３のシャッターボタンの全押し操作の有無を判定し、シャッターボタンの全押し操作があればステップ１０へ進み、全押し操作がなければステップ１へ戻って上述した処理を繰り返す。
【００２３】
シャッターボタンの全押し操作があった場合は、メインＣＰＵ１８はステップ１０で撮像素子１１による撮像を実行させ、続くステップ１１でメインＣＰＵ１８は撮像素子１１から画像を読み出すように制御する。このとき、撮像素子１１の撮像面の内のステップ６でバッファメモリ１９に一時記憶させたアスペクト比に相当する範囲内の画素から画像信号を読み出す。ステップ１２では、メインＣＰＵ１８は読み出した画像信号に対して上述した各種処理を施し、設定したアスペクト比の記録用画像を生成して記録媒体３０へ記録する処理を行う。その後、ステップ１へ戻り、メインＣＰＵ１８は上述した撮影制御を繰り返す。
【００２４】
なお、上述した一実施の形態では、図２(ａ)に示すように、アスペクト比１６：９の画像が全画面表示できるサイズのモニター表示画面２１ａを用いた例を示したが、モニター表示画面のサイズは一実施の形態のサイズに限定されない。
【００２５】
上述した一実施の形態では、図２に示すようにモニター表示画面２１ａの左右辺から黒帯２１ｂ、２１ｃを引き出して画面枠を形成し、アスペクト比を変更する例を示したが、モニター表示画面が例えばアスペクト比４：３もしくは１：１の画像を全画面表示するサイズの場合には、モニター表示画面の上下辺、あるいは上下左右辺から黒帯（黒枠）を引き出し、アスペクト比１６：９あるいは４：３、さらには他のアスペクト比の画面枠を形成してもよい。モニター表示画面の上下辺から黒帯を引き出す場合には、モニター表示画面の上下辺の中央にアスペクト比変更ボタンを配置する。
【００２６】
また、上述した一実施の形態では、図２に示すようにモニター表示画面２１ａの左右にそれぞれアスペクト比変更ボタン２２ａ、２２ｂを配置し、左右両方のアスペクト比変更ボタンを操作してアスペクト比を変更する例を示したが、左右何れか一方のボタン２２ａまたは２２ｂをドラッグ操作した場合でも、両方のボタン２２ａ、２２ｂをドラッグ操作したのと同様な動作と機能が得られるように構成しても良い。また、左右のいずれか一方にのみ、アスペクト比変更ボタンを配置し、そのアスペクト比変更ボタンをタッチしてドラッグすることにより、モニター表示画面の左右から黒帯が現れるように構成してもよい。
【００２７】
上述した一実施の形態では、図２に示すように、モニター表示画面２１ａの左右に配置したアスペクト比変更ボタン２２ａ、２２ｂをドラッグ操作したときに、表示画面２１ａの左右端から黒帯２１ｂ、２１ｃが現れ、左右端部のスルー画像を打ち消すことによって撮像される範囲を表示する例を示したが、黒帯２１ｂ、２１ｃを表示する代わりに、表示画面２１ａの左右端部をスルー画像を表示しない帯領域とし、アスペクト比変更ボタン２２ａ、２２ｂのドラッグ操作量に応じてスルー画像を表示しない帯領域の幅を可変にしてもよい。
【００２８】
また、上述した一実施の形態では、使用者がアスペクト比１６：９と４：３の間、もしくはアスペクト比４：３と１：１の間でアスペクト比変更ボタン２２ａ、２２ｂから指を離した場合には、現在の表示領域のアスペクト比に近い方のアスペクト比となるように自動的にアシストさせたが、アシストの形態は本実施形態に限定されない。例えば、アスペクト比変更ボタンの移動量が多い方のドラッグ操作に基づいて、記録用の画像のアスペクト比を設定しても良い。この場合、メインＣＰＵ１８は、ドラッグ操作によるアスペクト比変更ボタン２２ａの移動量がアスペクト比変更ボタン２２ｂの移動量より多いと判定された場合には、多く移動した移動操作に基づいてアスペクト比を決定する。具体的には、上述のステップ５において、メインＣＰＵ１８は黒帯２１ｃの幅が、黒帯２１ｂの幅と同じである時の表示領域のアスペクト比を演算し、ＲＡＭ２５に記憶されているアスペクト比のうち演算されたアスペクト比に最も近いアスペクト比となるように黒帯２１ｂ、２１ｃの幅を調整する。そして、メインＣＰＵ１８は調整した幅の黒帯２１ｂ、２１ｃを表示させるように表示画像作成回路２０を制御する。
【００２９】
上述した一実施の形態では、本願発明をコンパクトデジタルスチルカメラに適用した例を示したが、本願発明はコンパクトデジタルスチルカメラに限定されず、例えば一眼レフレックスデジタルスチルカメラやビデオカメラなどにも適用することができる。
【００３０】
なお、上述した実施の形態とそれらの変形例において、実施の形態と変形例とのあらゆる組み合わせが可能である。
【００３１】
上述した実施の形態とその変形例によれば以下のような作用効果を奏することができる。まず、撮影レンズＬにより結像された被写体の画像を撮像する撮像素子１１と、画像を表示するモニター２１と、モニター２１の表示画面２１ａ上に設けられたタッチ操作部材２２と、メインＣＰＵ１８とを備え、メインＣＰＵ１８は、タッチ操作部材２２上における接触位置を接触した状態で移動させる移動操作を判定し、移動操作に基づいて画像を表示する領域を伸縮させ、伸縮された領域のアスペクト比を設定し、設定したアスペクト比で撮像素子１１により撮像された画像を記録媒体３０に記録するようにしたので、撮像時に被写体像を表示したモニター画面上において直感的に最適なアスペクト比を設定して撮像することができる。
【００３２】
一実施の形態とその変形例によれば、メインＣＰＵ１８により判定された接触移動操作に基づいて、非画像領域を示す矩形をモニター２１の表示画面２１ａ上に表示するようにしたので、画像が記録される範囲を正確に視認でき、モニター画面上において直感的に最適なアスペクト比を設定して撮像することができる。
【００３３】
一実施の形態とその変形例によれば、メインＣＰＵ１８により判定された接触移動操作に基づいて、非画像領域を表示画面上で非表示にするようにしたので、画像が記録される範囲を正確に視認でき、モニター画面上において直感的に最適なアスペクト比を設定して撮像することができる。
【００３４】
一実施の形態とその変形例によれば、設定可能なアスペクト比として複数のアスペクト比を予め記憶し、メインＣＰＵ１８により判定された接触移動操作に基づいて、設定可能な複数のアスペクト比の中から所定のアスペクト比を選択し、所定のアスペクト比を設定するようにしたので、大雑把な接触移動操作で所定のアスペクト比に設定することができる。
【符号の説明】
【００３５】
１１；撮像素子、１８；メインＣＰＵ、１９；バッファメモリ、２０；表示画像作成回路、２１；モニター、２２；タッチ操作部材、２５；ＲＡＭ、３０；記録媒体
【図１】
2011004220.tif 000003
【図２】
2011004220.tif 000004
【図３】
2011004220.tif 000005